Podtech/llm-jp-corpus-v4-ja_patent huggingface dataset:
(57)【要約】      （修正有）【課題】寒い日でも子供を快適に自転車のチャイルドシートに乗せることができ、安全で、簡単に乗せ降ろしができる、子供乗せ自転車のフロントチャイルドシート用防寒マフを提供する。【解決手段】自転車のフロントチャイルドシートを、足元から首まですっぽり覆う形状であり、ハンドル固定用紐４を結ぶことで、防寒マフを固定し、シーズン中取り外す事無く、乗せ降ろしが簡単にできる。手元から上は中綿入りキルト３で、首元はファー襟１を面ファスナー２で留めるのでよりあたたかい。また裾にはゴム５が入っており、ゴムストッパーで調節できる為、様々なタイプのチャイルドシートにフィットする。【選択図】図１
0003165613.tif 000002
【実用新案登録請求の範囲】
【請求項１】
手元から首元までをしっかり防寒するために、赤ちゃん用のスタイのように、防寒マフのファー襟を首の後ろで面ファスナーで留める事で、簡単且つ、様々な年齢の子供にもサイズ調整可能にすることを特徴とする自転車フロントチャイルドシート用防寒マフ。
【請求項２】
表地をナイロンまたはポリエルテルの撥水加工素材、裏地にボア、さらに手元から上は中綿を入れキルトし、襟には取り外し可能なファーを付ける事で、一番寒い手から首元までをより暖かく、完全に防寒できる事を特徴とする請求項１記載の自転車フロントチャイルドシート用防寒マフ。
【請求項３】
ハンドル部分に紐を設け、ハンドルに防寒マフを固定するため、様々なタイプの自転車にも、紐の結び方を調整することで、しっかりと固定でき、シーズン中、取り外すことなく乗せ降ろしのできることを特徴とする請求項１または２のいずれか１項に記載の自転車フロントチャイルドシート用防寒マフ。
【請求項４】
防寒マフの裾部分にゴムを入れることで、チャイルドシートにフィットし、裾がタイヤに巻き込まないよう、ゴムを引き、使用者の所有する自転車のチャイルドシートのサイズに合わせ調整することができ、かつ、余ったゴムがタイヤに巻き込まれないよう、ゴムをひっかける溝を有するゴムストッパーを採用することで、安全に使用できることを特徴とする、請求項１乃至３のいずれか１項に記載の自転車フロントチャイルドシート用防寒マフ。
【考案の詳細な説明】
【技術分野】
【０００１】
本考案は、自転車のフロントチャイルドシートに乗っている子供を寒さから守るための防寒マフに関するものである。
【背景技術】
【０００２】
寒い時期に自転車に子供を乗せるには、子供にマフラー・手袋を装着させるが、マフラーや手袋を嫌がる子供が多い。防寒して自転車に乗ったとしても、足元の寒さ、また正面から風を受けるため、胸元の寒さは、歩いている時の何倍も寒い。この自転車に乗っている際の、子供の寒さを改善するため、足元から手元・首元まですっぽりと覆い、且つ、防寒マフの取り外しをすること無く、子供の乗せ降ろしが簡単に行えるものである。
【先行技術文献】
【特許文献】
【０００３】
【特許文献１】特開２００８−１８９２９１
【考案の概要】
【考案が解決しようとする課題】
【０００４】
特許文献１では、子供の下半身を覆うのみで、手や上半身の防寒性に欠ける。また、ハンドルにスナップボタンで装着する為、様々な形状のハンドルにきちんと固定することができないと思われる。またチャイルドシートにフィットさせるためのゴムの調整ができず、サイズが大きく可変するチャイルドシートには不適合と思われる。
【０００５】
本考案では、防寒を必要とするシーズン中は、防寒マフを取り外す必要が無い為、しっかりと安全にチャイルドシートに固定でき、日々、防寒マフを取り外すことなく、スムーズに子供の乗せ降ろしができる。足から首元まですっぽりと覆い、表地に撥水加工のナイロンまたはポリエステル素材。裏地にボア。一番寒い手元から胸元にはさらに中綿を入れキルト。襟には取り外し可能なファーを付けることで、完全な防寒ができる。また多少、突然の雨にあってもすぐに裏地にまで雨がしみこむ心配がない。
【課題を解決するための手段】
【０００６】
以上の課題を解決する為に第一考案は、手元から首元までをしっかり防寒するために、赤ちゃん用のスタイのように、防寒マフを首の後ろで面ファスナーで留める事で、簡単且つ、様々な年齢の子供にもサイズ調整可能にすることを特徴とする自転車フロントチャイルドシート用防寒マフ。
【０００７】
第二考案は、表地をナイロンまたはポリエルテルの撥水加工素材、裏地にボア、さらに手元から上は中綿を入れキルト。襟には取り外し可能なファーを付ける事で、一番寒い手から首元まではより暖かく、完全に防寒できる事を特徴とする自転車フロントチャイルドシート用防寒マフ。
【０００８】
第三考案は、ハンドル部分に紐を設け、ハンドルに防寒マフを固定。様々なタイプの自転車にも、紐の結び方を調整することで、しっかりと固定できることを特徴とする自転車フロントチャイルドシート用防寒マフ。
【０００９】
第四考案は、レインカバーの裾部分にゴムを入れることで、チャイルドシートにフィットし、特に前面の裾はタイヤに巻き込まないよう、ゴムを引き、使用者の所有する自転車のチャイルドシートのサイズに合わせ調整することができ、かつ、余ったゴムがタイヤに巻き込まれないよう、ゴムをひっかける溝を有するゴムストッパーを採用。装着は前述の面ファスナーを合わせ、ゴムを引くのみで、安全に使用できることを特徴とする自転車フロントチャイルドシート用防寒マフ。
【考案の効果】
【００１０】
本考案の防寒マフは、子供の足元から首まで、暖かい素材ですっぽりと覆い、手すりに紐を縛り、ゴムを調整するだけで素早く装着できる。またゴムが入っていることでタイヤへの巻き込み防止になり、安全性にも優れる。子供の乗せ降ろしは、防寒マフを取り外すことなくできるので、素早く乗せ降ろしが行える。
【図面の簡単な説明】
【００１１】
【図１】本考案の一実施形態を示す斜視図（ａ）及びファー襟の拡大図（ｂ）。
【図２】本考案の一実施形態を示す斜視図（ａ）及びゴムストッパーの拡大図（ｂ）。
【符号の説明】
【００１２】
１    ファー襟
２    面ファスナー
３    中綿入りキルト
４    ハンドル固定用紐
５    ゴム
６    ゴムストッパー
【図１】
0003165613.tif 000003
【図２】
0003165613.tif 000004
(57)【要約】      （修正有）【課題】手引き式キャリーの荷台部分をコイル状のバネで、キャリー本体から隔離させた新たな荷台を設け路面から伝わる衝撃や振動を和らげ、精密機器を故障から守る運搬用キャリーを提供する。【解決手段】手引き式キャリー本体１の荷台部分に、Ｈ字型の金板の下部をＬ字型に曲げた金板により新たな荷台３として設け、手引き式キャリー本体との間に、Ｈ字部分の上部とＬ字部分の底部にコイル状のバネ２を取り付けて精密機器運搬用キャリーを構成する。【選択図】図１
0003165696.tif 000002
【実用新案登録請求の範囲】
【請求項１】
手引き式キャリー本体の荷台部分にＨ字型の金板の下部をＬ字型に曲げた金板の上部と底部にコイル状のバネを取り付けた精密機器運搬用キャリー。
【考案の詳細な説明】
【技術分野】
【０００１】  本考案は、手引き式キャリーの荷台部分をコイル状のバネで、キャリー本体から隔離させた新たな荷台を設け路面から伝わる衝撃や振動を和らげ、精密機器の故障を守る運搬用キャリーに関するものである。
【背景技術】
【０００２】  ノートパソコン及びカメラ等を業として使用している人は荷物を運搬する場合に、背中に担ぐ又は手に持って運ぶ必要があったため、高重量又は長時間運搬には苦労があった。
【考案の開示】
【考案が解決しようとする課題】
【０００３】  精密機器を運搬する場合は、路面の凸凹による衝撃又は振動から荷物を守るため、ほとんどが緩衝材等に包んで一般のキャリーを使って運搬していた。しかし、緩衝材では保護能力に限界があり、精密機器を故障から保護しきれないことが多かった。本考案の、荷台部分にコイル状のバネを新たに取り付け、キャリー本体から隔離した荷台を設けたキャリーは前途の欠点を解決しようとするのものである。
【課題を解決するための手段】
【０００４】  本考案は、手引き式キャリーの荷台部分にコイル状のバネを取り付けた新たな荷台部分を設けることで、路面の凸凹による衝撃又は振動から精密機器を守り問題点を解決している。
【考案の効果】
【０００５】  上述の様に、考案の精密機器運搬用キャリーは、路面の凸凹による衝撃又は振動から精密機器を守り且つ人手も要さないので、経費の軽減に役立つ。
【考案を実施するための最良の形態】
【０００６】  手引き式のキャリー本体部分の荷台に新たに設けた荷台との間にコイル状のバネを取り付け、荷物にかかる路面の凸凹による衝撃又は振動を吸収する。なお、バネは自転車のサドルに用いている程度のものが適当である。
【実施例】
【０００７】  以下、添付図に従って実施例を説明する。１は、手引き式キャリーの本体。２は、衝撃又は振動を吸収するコイル状バネ。３は、精密機器を積む荷台で構成され３に精密機器を積み路面の凸凹による衝撃又は振動から荷物の故障を守る。【０００８】  本考案の実施例は上述の如き構成からなるものであり、図１に示すように精密機器に伝わる衝撃及び振動の緩衝に用いる。
【図面の簡単な説明】
【０００９】
【図１】本考案の側面図
【図２】本考案の背面図
【図３】本考案の立面図
【符号の説明】
【００１０】１  キャリー本体
２  コイル状バネ
３  荷台
【図１】
0003165696.tif 000003
【図２】
0003165696.tif 000004
【図３】
0003165696.tif 000005
【手続補正書】
【提出日】平成22年11月1日(2010.11.1)
【手続補正１】
【補正対象書類名】実用新案登録請求の範囲
【補正対象項目名】全文
【補正方法】変更
【補正の内容】
【実用新案登録請求の範囲】
【請求項１】
手引き式キャリー本体の荷台部分に、Ｈ字型の金板の下部をＬ字型に曲げた金板を備え、手引き式キャリー本体との間に、Ｈ字部分の上部とＬ字部分の底部にコイル状のバネを取り付けた精密機器運搬用キャリー。
(57)【要約】      （修正有）【課題】カードのポイントを無駄にせずに活用できるように日付、店名などの項目を設けたポイント整理表を提供する。【解決手段】表１の一方に日付２、他方に店名３の項目を設けたポイント整理表を特徴とする。このポイント整理表を使用することにより、カードのポイントを無駄にすることなく、より有効に活用することができる。また、日付ごと、店名ごとに獲得したポイント、使用したポイントの数がわかるため、いつどの店舗でどのくらい買い物をしたかも、このポイント整理表から把握することができる。【選択図】図１
0003165691.tif 000002
【実用新案登録請求の範囲】
【請求項１】
表（１）の一方に日付（２）、他方に店名（３）の項目を設けたポイント整理システム。
【考案の詳細な説明】
【技術分野】
【０００１】この考案は、日付、店名などの  項目を設けたポイント整理システムに関するものである。
【背景技術】
【０００２】従来、カードのポイントを整理するシステムは存在しなかった。
【考案の概要】
【考案が解決しようとする課題】
【０００３】従来、カードのポイントを整理するシステムは存在しなかったため、貯まったポイントの数がわからなかったり、有効期限が過ぎたためにポイントを無駄にする欠点があった。
また、所有するカードの数が多いと混乱するという欠点があった。
本考案は、以上のような欠点をなくすためになされたものである。
【課題を解決するための手段】
【０００４】表（１）の一方に日付（２）、他方に店名（３）の項目を設けたポイント整理システム
【考案の効果】
【０００５】このポイント整理システムを使用することにより、カードのポイントを無駄にすることなく、より有効に活用することができる。
また、日付ごと、店名ごとに獲得したポイント、使用したポイントの数がわかるため、いつどの店舗でどのくらい買い物したかも、このポイント整理システムから把握することができる。
【図面の簡単な説明】
【０００６】
【図１】  本考案の正面図である。
【考案を実施するための最良の形態】
【０００７】以下、本考案を実施するための最良の形態について説明する。
【実施例】
【０００８】表（１）の上部に日付（２）、左側に店名（３）の項目を設ける。
日付（２）と店名（３）の項目の交わるマス目がポイントの数を記入する欄になる。
それぞれのマス目を２つに区切り、毎日買い物をする度に獲得したポイント、使用したポイントの数を一方に記入し、他方には、その時点での累計ポイント数を記入する。
余白には、店舗ごとのポイントの還元率やポイントの有効期限を記入すると、より便利に活用できる。
【符号の説明】
【０００９】１  表
２  日付
３  店名
【図１】
0003165691.tif 000003
【手続補正書】
【提出日】平成22年9月30日(2010.9.30)
【手続補正１】
【補正対象書類名】実用新案登録請求の範囲
【補正対象項目名】全文
【補正方法】変更
【補正の内容】
【実用新案登録請求の範囲】
【請求項１】
四角形のマス（１）の上部と左部の枠（２）から縦方向と横方向にそれぞれに複数の罫線（３）を引き、罫線（３）が交わってできた、複数の四角形のマス目のうち、上１列と左１列は項目を記載する枠（２）とし、その他のマス目には、横方向に２等分する罫線（４）を設け、以上の構成よりなるポイントの整理表が印刷されたシート。
【手続補正２】
【補正対象書類名】明細書
【補正対象項目名】全文
【補正方法】変更
【補正の内容】
【考案の詳細な説明】
【技術分野】
【０００１】この考案は、日付、店名の項目を設けたポイントの整理表が印刷されたシートに関するものである。
【背景技術】
【０００２】従来、カードのポイントを整理する表は、存在しなかった。
【考案の概要】
【考案が解決しようとする課題】
【０００３】従来、カードのポイントを整理する表は存在しなかったため、貯まったポイントの数がわからなかったり、有効期限が過ぎたためにポイントを無駄にする欠点があった。また、所有するカードの数が多いと混乱するという欠点があった。本考案は、以上のような欠点をなくすためになされたものである。
【課題を解決するための手段】
【０００４】四角形のマス（１）の上部と左部の枠（２）から縦方向と横方向にそれぞれに複数の罫線（３）を引き、罫線（３）が交わってできた、複数の四角形のマス目のうち、上１列と左１列は項目を記載する枠（２）とし、その他のマス目には、横方向に２等分する罫線（４）を設ける。以上の構成よりなるポイントの整理表が印刷されたシート。
【考案の効果】
【０００５】このポイントの整理表を使用することにより、カードのポイントを無駄にすることなく、より有効に活用することができる。また、日付ごと、店名ごとに獲得したポイント、使用したポイントの数がわかるため、いつどの店舗でどのくらい買い物したかも、このポイントの整理表から把握することができる。
【図面の簡単な説明】
【０００６】
【図１】本考案の正面図である。
【考案を実施するための最良の形態】
【０００７】以下、本考案を実施するための最良の形態について説明する。
【実施例】
【０００８】四角形のマス（１）の上部と左部の枠（２）から縦方向と横方向にそれぞれに複数の罫線（３）を引き、罫線（３）が交わってできた、複数の四角形のマス目のうち、上１列と左１列は項目を記載する枠（２）とし、その他のマス目には、横方向に２等分する罫線（４）を設ける。四角形のマス目が、ポイントを記載する欄になる。毎日買い物をする度に獲得したポイント、使用したポイントの数を２等分してできたマス目の上部に記載する。マス目の下部には、その時点での累計ポイント数を記載する。余白には、店舖ごとのポイントの還元率やポイントの有効期限を記入すると、より便利に活用できる。
【符号の説明】
【０００９】１  四角形のマス２  枠３  罫線４  罫線
【手続補正３】
【補正対象書類名】図面
【補正対象項目名】全図
【補正方法】変更
【補正の内容】
【図１】
0003165691.tif 000004
(57)【要約】      （修正有）【課題】手を汚さず安全確実に素早く消火できる携帯煙草収納兼吸い殻ボックスを提供する。【解決手段】煙草の空箱に収納出来る大きさであって、底面を有し、上面より縦方向に１０本の筒が形成される。【選択図】図１
0003165692.tif 000002
【実用新案登録請求の範囲】
【請求項１】
本考案の型状は市販ボックス煙草の空箱に収納出来る大きさとする。
【請求項２】
市販のボックス煙草もショート、ロング等種類がある、したがって本考案もそれに合わせて型状を設定する。
【請求項３】
本考案の収納本数は原則として１０本とする。煙草の種類によってはそれ以下になる場合もある。
【考案の詳細な説明】
【技術分野】
【０００１】本考案は、屋外で煙草吸い殻入れが設置していない場合使用する為の物である。
【背景技術】
【０００２】従来は、煙草の収納と吸い殻入れを兼用する物がなかった。
本考案は兼用型とした物である。
【考案の開示】
【考案が解決しようとする課題】
【０００３】屋外や郊外で喫煙した場合吸い殻をどう処分するか。当然携帯出来る物でなくてはならない。すばやく安全確実に手を汚さず消火収納出来るようにしなくてはならなかった。
【考案が解決しようとするための手段】
【０００４】本考案が煙草の収納と吸い殻を一緒の器に収めなくてはならない為、煙草１本が収納出来る筒を１０本まとめて箱型とした。箱の寸法は市販のボックス煙草の空き箱に収納出来る大きさとした。基本は酸素を遮断して消火する。
【考案の効果】
【０００５】まず第一に確実に消火でき、手も汚さない。市販のボックス煙草の空き箱を流用するので見た目もスマートである。汚れたら水洗い出来る。
【図面の簡単な説明】
【０００６】
【図１】全体図
【図２】断面図
【符号の説明】
【０００７】１、箱本体
２、筒
３、煙草
【図１】
0003165692.tif 000003
【図２】
0003165692.tif 000004
【手続補正書】
【提出日】平成22年11月5日(2010.11.5)
【手続補正１】
【補正対象書類名】実用新案登録請求の範囲
【補正対象項目名】全文
【補正方法】変更
【補正の内容】
【実用新案登録請求の範囲】
【請求項１】
煙草の空箱に収納出来る大きさであって、底面を有し、上面より縦方向に１０本の筒が形成された、箱形の携帯煙草収納兼吸い殻ボックス。
(57)【要約】      （修正有）【課題】快適に座れ、正しく座り姿勢を維持できる椅子の座り板を提供する。【解決手段】底板１と底板の上面に固定された表板２とからなり、該表板に、二つの凹槽３が形成され、尻部が、二つの凹槽内に位置する。より快適な座り感覚が得られ、また、正しく座り姿勢を維持できる。上記底板は、凹槽の下面に対応する位置に、二つの網状貫通孔４が形成され、各網状貫通孔は、同じ円心を有する多段円弧貫通孔４１からなる。人が座り板の上面に腰掛ける時、網状貫通孔は、凹槽に合わせて微妙に変形することができる。網状貫通孔の形状は、必要に応じて、他の形状でも良い。【選択図】図２
0003165635.tif 000002
【実用新案登録請求の範囲】
【請求項１】
底板と底板の上面に固定された表板とからなる座り板であって、
表板に、二つの凹槽が形成され、尻部が、二つの凹槽内に位置する、
ことを特徴とする座り板。
【請求項２】
凹槽の形状は、円形や楕円形或いるパンプキンシード形であることを特徴とする請求項１に記載の座り板。
【請求項３】
二つの凹槽は、座り板の中心線に対して、左右対称することを特徴とする請求項１に記載の座り板。
【請求項４】
底板は、凹槽の下面に対応する位置に、二つの網状貫通孔が形成され、各網状貫通孔が、同じ円心を有する多段円弧貫通孔からなることを特徴とする請求項１に記載の座り板。
【請求項５】
座り板は、椅子の座り板であることを特徴とする請求項１に記載の座り板。
【請求項６】
表板は、左辺縁と右辺縁及び後辺縁に、突起が形成されることを特徴とする請求項１に記載の座り板。
【請求項７】
凹槽は、下へ向かって少しずつ内縮する構造であることを特徴とする請求項１に記載の座り板。
【考案の詳細な説明】
【技術分野】
【０００１】
本考案は、オフィス家具に関し、特に、椅子の座り板に関する。
【背景技術】
【０００２】
殆どの職人は、長期間に、オフィスチェアに座ってコンピュータに面して仕事を行い、平面であるオフィスチェアの座り板は、座る時、不快でありながら、脊椎に、容易に疲労を招き、また、座り姿勢が正しくない場合、病気になる恐れがある。そのため、あるオフィスチェアの座り板は、曲面の造型に設計される、上記のような曲面だけでは、有効に疲労を緩和できず、また、正しく座り姿勢を維持するのに役に立たなく、そのため、座り姿勢がより快適になり、また、正しく座り姿勢を維持できる椅子の座り板が要求されている。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案は、既存椅子の諸欠点を解消するため、快適に座れ、正しく座り姿勢を維持できる椅子の座り板を提供する。
【課題を解決するための手段】
【０００５】
本考案は、底板と底板の上面に固定された表板とからなる椅子の座り板であって、表板に、二つの凹槽が形成され、尻部が、二つの凹槽内に位置する椅子の座り板である。
【０００６】
上記凹槽の形状は、異なる人に応じて、円形や楕円形或いはパンプキンシード形である。
【０００７】
また、尻部の形状に合わせて、上記二つの凹槽は、座り板的中心線に対して左右対称するようである。
【０００８】
上記底板は、凹槽の下面に対応する位置に、二つの網状貫通孔が形成され、各網状貫通孔は、同じ円心を王する多段円弧貫通孔からなる。人が座り板の上面に腰掛ける時、網状貫通孔は、凹槽に合わせて微妙に変形することができる。網状貫通孔の形状は、必要に応じて、他の形状でも良い。
【０００９】
表板の上面に、クッション層が敷かれ、クッション層にも、二つの凹槽が形成される。上記クッション層は、柔軟の布材曲面や布材平面、網材曲面、網材平面、皮材曲面或いは皮材平面等の柔軟材料からなると、より快適な座り感覚が得られる。
【００１０】
本考案によれば、上記座り板は、椅子の座り板である。
【００１１】
また、上記表板の左辺縁や右辺縁及び後辺縁に、突起が形成されても良い。
【００１２】
このような椅子の座り板は、例えば、オフィスチェアやソファ、食卓椅子或いは児童用椅子に適用できる。
【００１３】
上記凹槽は、尻部の形状に対応して、下へ向かって少しずつ内縮する構造になる。
【００１４】
本考案によれば、既存のものに比較して、次の利点が得られ、本考案に係る座り板は、底座の表板に、二つの凹槽が形成され、尻部が、二つの凹槽内に位置するため、座る時、より快適になり、また、疲労を緩和でき、それから、正しく座り姿勢を維持できる。
【００１５】
以下、図面を参照しながら、本考案の特徴や技術内容について、詳しく説明するが、それらの図面等は、参考や説明のためであり、本考案は、それによって制限されることが無い。
【考案を実施するための形態】
【００１６】
図１と図２を参照しながら、本考案は、底板１と底板１の上面に固定された表板２があり、表板２に、二つの凹槽３が形成され、尻部が、二つの凹槽３内に位置する。凹槽３の形状は、円形である。二つの凹槽３は、尻部の形状に応じて、座り板の中心線に対して左右対称し、また、下へ向かって少しずつ内縮する構造になる。また、必要に応じて、凹槽３の形状は、楕円形やパンプキンシード形（図３のように）であっても良い。
【００１７】
底板１は、凹槽３の下面に対応する位置に、二つの網状貫通孔４が形成され、各網状貫通孔４は、同じ円心を有する多段円弧貫通孔４１からなる。人が座り板の上面に腰掛けると、網状貫通孔４が、凹槽３に合わせて微妙に変形できる。
【００１８】
表板２の上面に、一層のクッション層（図に未表示）が敷かれ、クッション層にも、二つの凹槽が形成される。クッション層は、柔軟の布材曲面からなり、柔軟材料により、より快適な座り感覚が得られる。
【００１９】
また、表板２の左辺縁や右辺縁及び後辺縁に、突起５が形成される。
【００２０】
そのため、本考案は、より進歩的かつより実用的で、法に従って実用新案登録請求を出願する。
【００２１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２２】
【図１】本考案の座り板の構造概念図
【図２】図１の構造分解図
【図３】本考案の座り板の凹槽の他の実施例図
【符号の説明】
【００２３】
１  底板
２  表板
３  凹槽
４  網状貫通孔
４１  円弧貫通孔
５  突起
【図１】
0003165635.tif 000003
【図２】
0003165635.tif 000004
【図３】
0003165635.tif 000005
(57)【要約】      （修正有）【課題】重油などを燃やすことなく、安価に温水を得られる温水製造機を提供する。【解決手段】発熱体を設けた熱交換器・圧力タンクと、加圧ポンプとが、循環路を形成するように配管パイプで接続され、水道水や地下水を熱交換器・圧力タンクで発熱体により加熱し、更に、加圧ポンプで圧力を加えることで、温水を得ることの出来る。【選択図】図１
0003165685.tif 000002
【実用新案登録請求の範囲】
【請求項１】
水道水等に加圧ポンプで圧力を与えることで、温水を得ることの出来る温水製造機。
【請求項２】
暖房の為の温水を流す配管パイプを有する請求項１の温水製造機
【請求項３】
熱交換器に余熱の為の発熱体を有する請求項１の温水製造機。
【請求項４】
水温の温度調節機能を有する請求項１の温水製造機。
【考案の詳細な説明】
【考案の詳細な説明】
【技術分野】
【０００１】本考案は温浴施設の温水の供給、或いは温水による暖房装置に関するものである。
【背景技術】
【０００２】温浴施設では、重油なども燃やすことで水を温めていた。また、暖房の分野では電力や、都市ガス等によるものが多くみられた。
この場合、重油などを燃やすと二酸化炭素や窒素酸化物が、排出された。
更に、重油や電力、都市ガス等の燃料費は高額となり商業的な面でも収益が悪いものとなった。
【考案が解決しようとする課題】
【０００３】本考案は加圧による温水を安価で提供し、温浴施設や産業の分野などで温水暖房を提供しようとするものである。
【課題を解決する為の手段】
【０００４】本考案は［図１］で示すように燃焼部分はなく、加圧ポンプと余熱用発熱体（３ｋｗ、３基）に電力を供給することで、装置は稼動する。
この電力は同じ熱量によって作り出される場合の電力の４分の１以下である。更に、燃焼部分がないため、二酸化炭素や窒素酸化物などを排出することはない。
【０００５】本考案は、水道水を使用することが出来る。その為、商業の分野においては利点である。
【図面の簡単な説明】
【０００６】
【図１】は本考案の構造図である。補給水は矢印（―→）の方向に流れる。熱交換器・圧力タンク（Ｂ）で発熱体によって余熱され、加圧ポンプ（Ａ）に流れる。Ａで加圧され外部の配管パイプを通る。この際、温水となった水は暖房の用途に用いられる。
【０００７】Ａは加圧ポンプである。
Ｂは熱交換器・圧力タンクである。
Ｃはコントローラー（配電盤）である。
Ｄは流水バルブである。
Ｅは水温計である。
Ｆは流水計である。
Ｇは空気弁である。
実線で示す部分は配管パイプである。
点線で示す部分は配管パイプである。
これはＢには配管されていないことを示すものである。
ＢとＣをつなぐ実線は電力の供給を示すものである。
【図１】
0003165685.tif 000003
【手続補正書】
【提出日】平成22年6月7日(2010.6.7)
【手続補正１】
【補正対象書類名】実用新案登録請求の範囲
【補正対象項目名】全文
【補正方法】変更
【補正の内容】
【実用新案登録請求の範囲】
【請求項１】
水道水や地下水、温泉水に加圧ポンプで圧力を与えることで、温水を得ることの出来る温水製造機。
【手続補正２】
【補正対象書類名】明細書
【補正対象項目名】０００６
【補正方法】変更
【補正の内容】
【０００６】
【図１】は本考案の構造図である。本考案である温水製造機は加圧ポンプ（Ａ）と熱交換器・加圧タンク（Ｂ）コントローラー（配電盤）（Ｃ）更には、熱の媒体となる水が流れる配管パイプよりなる。水は矢印（→）の方向に流れる。水は熱交換器・圧力タンク（Ｂ）で発熱体によって余熱され、加圧ポンプ（Ａ）に流れ、（Ａ）で加圧され水は外部の配管パイプを通る。この際、温水となった水は配管パイプを暖め、設置された施設を暖房する。水は、（Ａ）（Ｂ）配管パイプと何度も繰り返し循環ことで、長時間の暖房を可能とする。
【手続補正書】
【提出日】平成22年8月20日(2010.8.20)
【手続補正１】
【補正対象書類名】実用新案登録請求の範囲
【補正対象項目名】全文
【補正方法】変更
【補正の内容】
【実用新案登録請求の範囲】
【請求項１】
水道水や地下水を熱交換器・圧力タンクで発熱体によって余熱し、更に、加圧ポンプで圧力を加えることで、温水を得ることの出来る温水製造機。
これらは、配管パイプで接続され、水道水や地下水が何度も循環することで、継続的に温水を得る。温水製造機はコントローラーで制御される。
【手続補正書】
【提出日】平成22年10月28日(2010.10.28)
【手続補正１】
【補正対象書類名】実用新案登録請求の範囲
【補正対象項目名】全文
【補正方法】変更
【補正の内容】
【実用新案登録請求の範囲】
【請求項１】
発熱体を設けた熱交換器・圧力タンクと、加圧ポンプとが、循環路を形成するように配管パイプで接続され、水道水や地下水を熱交換器・圧力タンクで発熱体により加熱し、更に、加圧ポンプで圧力を加えることで、温水を得ることの出来る温水製造機。
(57)【要約】      （修正有）【課題】着用しながら背筋、腰のコリを解消させるペット用コルセットを提供する。【解決手段】ドラバイトと竹炭を７対３の割合で配合した混合粉末を、犬の首、肩から背骨、腰部周辺にフィットするようにコルセットの内側にプリントして使用する背筋、腰のコリ解消の為のコルセットである。従来のコルセットとしての背筋を伸ばす機能を保ったまま、混合粉末のプリントにより首、肩、背骨、腰周辺のコリを解消することができる。【選択図】図２
0003165687.tif 000002
【実用新案登録請求の範囲】
【請求項１】
７対３の割合で配合したドラバイトと竹炭の混合粉末を、首、肩、背骨、腰周辺にフィットするようにコルセットの内側に直接プリントして使用する背筋、腰のコリ解消サポーター。
【考案の詳細な説明】
【技術分野】
【０００１】本考案は、ドラバイトと竹炭を７対３の割合で配合した混合粉末を、犬の首、肩から背骨、腰部周辺にフィットするようにコルセットの内側にプリントして使用する背筋、腰のコリ解消の為のコルセットに関するものである。
【背景技術】
【０００２】ペット（犬）用のコルセットは多くの実用品があるが、ペット（犬）の首、肩、背筋、腰のコリを解消する製品は無く、そのような製品が待たれている。
【先行技術文献】
【特許文献】
【０００３】
【特許文献１】
【考案の概要】
【考案が解決しようとする課題】
【０００４】犬用のコルセットは数多くあるが、それを着用しながら背筋、腰のコリを解消させるものはなかった。
【課題を解決するための手段】
【０００５】本考案は、コルセットの内側に当該混合粉末をプリントし、プリント面が直接患部にあたる様にして使用する。
【考案の効果】
【０００６】本考案は、コルセットの内側にプリントした混合粉末が首、肩、背骨、腰に直接あたる事で患部のコリを解消できる。
【図面の簡単な説明】
【０００７】
【図１】  本考案の背筋のコリ解消コルセットの本体である。
【図２】  本考案の裏面の図である。
【図３】  本考案を適用する場合の実施例を示す概要図である。
【考案を実施するための形態】
【０００８】首、肩、背骨、腰周辺に当該混合粉末のプリント面が直接あたるようにして使用する。
【実施例】
【０００９】以下、添付図面に従って実施例を説明する。図１は１の服に２の当該混合粉末をプリントした背筋、腰のコリ解消コルセット本体である。【００１０】図２は図１の裏面部分である。【００１１】図３はコリ解コルセットを装着した実施例の概要図である。
【符号の説明】
【００１２】１  コリ解消サポーター
２  プリントした混合粉末部分
【図１】
0003165687.tif 000003
【図２】
0003165687.tif 000004
【図３】
0003165687.tif 000005
【手続補正書】
【提出日】平成22年6月22日(2010.6.22)
【手続補正１】
【補正対象書類名】実用新案登録請求の範囲
【補正対象項目名】全文
【補正方法】変更
【補正の内容】
【実用新案登録請求の範囲】
【請求項１】
「７対３の割合で配合したドラバイトと竹炭の混合粉末を、サポーターの内側、かつ、首、肩、背骨、肩甲骨周辺にフィットする位置に直接プリントした背筋のコリ解消サポーター。」
(57)【要約】      （修正有）【課題】あらゆる場所に設置することができ、片付けなくても邪魔にならない室内用物干しを提供する。【解決手段】居住空間において床から天井にわたる一本の支柱を軸に２本の枝竿を配し、２本の枝竿を、前記支柱を中心に回転させる、又は、折り畳む。【選択図】図１
0003165686.tif 000002
【実用新案登録請求の範囲】
【請求項１】
本考案の室内用物干しは、居住空間において床から天井まで一本の支柱を軸に、数本の枝竿を配し枝竿は水平方向に回転させるか又は枝竿を折りたたむ方法をとることにより邪魔にならない事を特徴とする室内用物干しである。
【考案の詳細な説明】
【技術分野】
【００１】本考案は室内用物干しに関するものであり、居住空間においてコーナー部及び狭いスペースの有効利用を目的とするものである。
【背景技術】
【００２】従来からの室内用物干しは、設置場所にある程度制約があり使用後は片付けないと邪魔になる場合も出てくるので片付けの作業が出てくる不便さもあった。【００３】例えば、壁と壁を支点とする伸縮性を備えた室内用物干し竿が提案されている。（特許文献１）。【００４】また簡易式の迅速にセット出きる折り畳み式の物干し台が開示されている。（特許文献２）【００５】
【先行技術文献】
【特許文献】
【特許文献１】実用新案公開平０７−０３９７９３
【特許文献２】実用新案公開平０５−００５０９５
【考案の概要】
【考案が解決しようとする課題】
【００６】しかしながら（特許文献１）の方法であれば壁を支点にしているので設置場所が限定される場合が生じる。【００７】また、（特許文献２）のような構造であれば折り畳んでも場所をとり邪魔になる場合が生じる。【００８】本考案によれば、あらゆる場所に設置する事が可能であり、使用後は枝竿を壁側に水平に回転させるか折りたたむ方法をとる事で、片付ける必要もなく邪魔にもならない。
【課題を解決するための手段】
【００９】室内用物干しにおいては使用後は片付けが必要な場合が出てくる為、片付けを必要とする不便さがあるので、使用後も設置していて邪魔にならない本考案を提供する。
【考案の効果】
【０１０】本考案によれば室内のコーナー部及び狭いスペースにでも設置出来、使用しない時は枝竿を壁側に回転させるか折りたたむ方法をとる事で、片付けなくても邪魔にならない。
【考案を実施するための形態】
【０１１】以下、本考案を実施するための形態について、図面に基づき具体的に説明する。
【０１２】まず支柱直管７にＴ字管２を入れ、ストッパー３により任意にて固定する。支柱直管７は、継管８により固定し高さ調整用冶具９により床側から天井側に押し上げ固定する。最後に枝竿５をＴ字管２にさし完成となる。但し枝竿を折り曲げる方法をとる場合はＴ字管の付け根の部分にヒンジを設ける。
【図面の簡単な説明】
【０１３】
【図１】図面は本考案の側面図である。
【符号の説明】
【０１４】１・・・・・・・・天井固定用冶具２・・・・・・・・Ｔ字管３・・・・・・・・Ｔ字管ストッパー４・・・・・・・・ハンガーずれ止め５・・・・・・・・枝竿直管６・・・・・・・・先端キャップ７・・・・・・・・支柱直管８・・・・・・・・支柱継管９・・・・・・・・高さ調整用冶具
【図１】
0003165686.tif 000003
【手続補正書】
【提出日】平成22年7月14日(2010.7.14)
【手続補正１】
【補正対象書類名】実用新案登録請求の範囲
【補正対象項目名】全文
【補正方法】変更
【補正の内容】
【実用新案登録請求の範囲】
【請求項１】
本考案の邪魔にならない室内用物干しは、居住空間において床から天井にわたる一本の支柱を軸に２本の枝竿を配することを特徴とする邪魔にならない室内用物干し
【手続補正書】
【提出日】平成22年11月4日(2010.11.4)
【手続補正１】
【補正対象書類名】実用新案登録請求の範囲
【補正対象項目名】請求項１
【補正方法】変更
【補正の内容】
【請求項１】
・居住空間において床から天井にわたる一本の支柱を軸に２本の枝竿を配し、前記２本の枝竿を、前記支柱を中心に回転させる、又は、折り畳むことが可能な室内用物干し。
(57)【要約】      （修正有）【課題】液体の空気による変化を少なくすることができる注ぎ蓋を提供する。【解決手段】注ぎ蓋内部に、球体パッキン一つ分上下移動できる中空円筒状のパッキンケースを設け、注ぎ口を、パッキンケース内の球体パッキンがパッキンケース最下部にある時の一方の側面に設け、通気口を、パッキンケースの、一方の側面に対向した側面に設け、液体側口をパッキンケースの円形の底辺に設け、注ぎ口、通気口、液体側口の三方向を球体パッキンを使い液体と空気の接触を少なくする。【選択図】図１
0003165689.tif 000002
【実用新案登録請求の範囲】
【請求項１】
液体注ぎビンの蓋の注ぎ口、通気口、液体側口の三方を球体パッキンを使い液体と空気の接触を少なくする液体注ぎ蓋である。
【考案の詳細な説明】
【技術分野】
【０００１】    液体注ぎ口と通気口、液体側の通り道を十字にし、その交差する所に球体のパッキンを設置し、液体通り道である注ぎ口、液体側通気口も蓋をする事によって空気との接触を極力避けられる。十字の上の部分は球体パッキンの移動スペースである。
【背景技術】
【０００２】  注ぎ口、液体供給側、通気口を球体パッキンにて瞬時に開放閉鎖する為に空気に触れることが少なく、液体の空気による変化を少なくすることが出来る。
【図面の簡単な説明】
【０００３】
【図１】側面断面図
【図２】正面断面図
【図３】見下し図
【図１】
0003165689.tif 000003
【図２】
0003165689.tif 000004
【図３】
0003165689.tif 000005
【手続補正書】
【提出日】平成22年8月26日(2010.8.26)
【手続補正１】
【補正対象書類名】実用新案登録請求の範囲
【補正対象項目名】全文
【補正方法】変更
【補正の内容】
【実用新案登録請求の範囲】
【請求項１】
液体注ぎの蓋内部に球体パッキンが上下移動する円筒状の空間を作り、球体パッキンが最下部にあるとき、注ぎ口、通気口は球体パッキンの中心線水平位置に設け、液体側口は、球体パッキンの中心線垂直位置に設ける。液体側口の三方を球体パッキンを使い液体と空気の接触を少なくする液体注ぎ蓋。
【手続補正２】
【補正対象書類名】明細書
【補正対象項目名】全文
【補正方法】変更
【補正の内容】
【考案の詳細な説明】
【０００１】    液体注ぎ口と通気口は、液体注ぎ蓋内部に球体パッキンが上下移動出来る円筒状の空間を作り、球体パッキンが最下部にあるとき、球体パッキンの水平方向中心線上に相対する位置に一づつ設け、液体側口は、球体パッキンが最下部にあるとき、中心線垂直方向に設ける。液体側口と球体パッキンは、球体パッキン外面に密着する形のシリコン製パッキンを設ける事で、空気との接触を避けることが出来る。
【図面の簡単な説明】
【図１】側面断面図
【図２】正面断面図
【図３】見下し図
【手続補正書】
【提出日】平成22年10月27日(2010.10.27)
【手続補正１】
【補正対象書類名】実用新案登録請求の範囲
【補正対象項目名】全文
【補正方法】変更
【補正の内容】
【実用新案登録請求の範囲】
【請求項１】
注ぎ蓋内部に、球体パッキン一つ分上下移動できる中空円筒状のパッキンケースを設け、注ぎ口を、前記パッキンケース内の球体パッキンがパッキンケース最下部にある時の一方の側面に設け、通気口を、前記パッキンケースの、前記一方の側面に対向した側面に設け、液体側口を前記パッキンケースの円形の底辺に設け、注ぎ口、通気口、液体側口の三方向を前記球体パッキンを使い液体と空気の接触を少なくする注ぎ蓋。
【手続補正２】
【補正対象書類名】明細書
【補正対象項目名】全文
【補正方法】変更
【補正の内容】
【考案の詳細な説明】
【技術分野】
【０００１】    液体注ぎ口と通気口は、液体注ぎ蓋内部に球体パッキンが１つ分上下移動出来る中空円筒状のパッキンケースを作り、前記パッキンケース内の球体パッキンが最下部にあるとき、球体パッキンの左右相対する位置に液体注ぎ口、通気口を一づつ設け、液体側口は、前記パッキンケース内の球体パッキンが最下部にあるとき、円形底部に設け、液体側口と球体パッキンは、球体パッキン外面に密着する形のシリコン製パッキンを設ける事で、空気との接触を避けることが出来る。
【背景技術】
【０００２】  注ぎ口、液体供給側、通気口を球体パッキンにて瞬時に開放閉鎖する為に空気に触れることが少なく、液体の空気による変化を少なくすることが出来る。
【図面の簡単な説明】
【０００３】
【図１】  側面断面図  （Ａ−Ａ’）
【図２】  正面断面図  （Ｂ−Ｂ’）
【図３】  見下ろし図
(57)【要約】      （修正有）【課題】野菜、果物等の凹部の下処理をスムーズにできる包丁を提供する。【解決手段】包丁の刃板基端部に凹状部を設け、刃板基端に掘出し突出角部を形成し、この掘出し突出角部の凹状部と隣設する辺縁部は刃縁となっている。【選択図】図１
0003165381.tif 000002
【実用新案登録請求の範囲】
【請求項１】
刃板の刃縁の基端部に凹状部を設けて、刃板の刃縁基端に掘出し突出角部を形成し、この掘出し突出角部の前記凹状部と隣接する辺縁部は刃縁とする事を特徴とする包丁。
【考案の詳細な説明】
【技術分野】
【０００１】本考案は野菜、果物等の凹部の下処理がしやすい包丁に関するものである。
【背景技術】
【０００２】野菜、果物等の下処理の際凹部の処理が一般の包丁ではやりにくい面があった。
【考案の概要】
【考案が解決しようとする課題】
【０００３】一般的に野菜、果物等の下処理作業は包丁とピーラーを用いるわけであるが、野菜、果物等の凹部分の処理はやりにくい面があった。従ってこれらのやりにくさを解決するための包丁を提案するものである。
【課題を解決するための手段】
【０００４】本考案は包丁の刃板の基端部に凹状部を設けて刃板の刃縁基端に掘出し突出角部を形成しこの掘出し突出角部の凹状部と隣設する辺縁部を刃縁とする事により野菜、果物等の下処理作業をやりやすくする事ができ、上記の問題点を解決することができる。
【考案の効果】
【０００５】上記のように野菜、果物等の下処理の際凹部分の処理は包丁の刃板の基端部の凹状部と掘出し突出角部を使用することにより現在の包丁よりもやりやすく、スムーズに行なうことができる。
【図面の簡単な説明】
【０００６】
【図１】本考案の包丁の全体図である。
【考案を実施するための形態】
【０００７】包丁の刃板の基端部に凹状部を設けて刃板の刃縁基端に掘出し突出角部を形成し、この掘出し突出角部の凹状部と隣設する辺縁部は刃縁となっているものである。
【実施例】
【０００８】以下添付図面に従って実施例を説明する。
本考案の包丁は刃板の基端部に凹状部があり刃板の刃縁基端に掘出し突出角部を形成しているため又この掘出し突出部の凹状部と隣設する辺縁部は刃縁となっているため野菜、果物等の凹部分の下処理をする場合図１のＣ、Ｄの部分を使ってスムーズに皮等を処理することができる。
【符号の説明】
【０００９】    Ａ  包丁本体
Ｂ  包丁の刃板部分
Ｃ  包丁の刃板基端部の凹部分
Ｄ  包丁の刃板の刃縁基端の掘出し突出角部分
【図１】
0003165381.tif 000003
(57)【要約】【課題】  あらゆる角度からの直射日光を遮り、顔全体の日焼けを防ぐと共に、装着した状態で視界が確保でき、後部で結んだ布は後ろ襟首の日焼けを防ぐ日除け帽子を提供する。【解決手段】  帽子本体１のツバ２の後部を除くツバ縁辺部３に、前面の目視範囲の部分に網目部５を設けた横長の布４を縫付し、装着した状態でも視界が確保できる構成の日除け帽子である。【選択図】図１
0003165390.tif 000002
【実用新案登録請求の範囲】
【請求項１】
顔前面の目視範囲の部分が網目状の生地で設けられた、横長の布の長辺を、ツバ付き帽子の後部を除くツバの縁辺部に沿って縫付されていることを特徴とする日除け帽子。
【考案の詳細な説明】
【技術分野】
【０００１】  本考案は、あらゆる角度からの直射日光を遮り、顔全体の日焼けを防ぐ日除け帽子に関するものである。
【背景技術】
【０００２】  従来、顔の日焼け防止用としては、頭巾型やサンバイザー型の着用が主流であった。
日除けの布地をつけたものとして、例えば下記の特許文献１から特許文献３に提案されているものがある。
【先行技術文献】
【特許文献】
【０００３】
【特許文献１】  登録実用新案第３１２５１５３号
【特許文献２】  実開平７−３３９４２号
【特許文献３】  登録実用新案第３０６２６０３号
【考案の概要】
【考案が解決しようとする課題】
【０００４】  本考案の目的は、顔全体の日焼けを防止し、同時に通気性と視界を確保できる部分を設けた日除け帽子を提供することにある。
【課題を解決するための手段】
【０００５】  顔全体が隠れる巾の横長の布の、顔前面の目視範囲となる部分に網目部を設ける。この網目部は、前記横長の布の一部を網目状に形成するか、あるいは網目状の生地を接合することにより設ける。【０００６】  前記横長の布の長辺を、両端部は結べる長さを残し、かつ、網目部が前面になるように、ツバ付き帽子のツバ後部を除いた縁辺部に縫付する。
【考案の効果】
【０００７】  前記ツバ縁辺部に縫付した横長の布は、顔前面の目視範囲となる部分に設けた網目部により、通風を良くして蒸れを防ぐとともに、帽子を装着した状態でも視界を確保することができる日除けとなる。
さらに、あらゆる角度からの直射日光を遮って顔全体の日除けとなり、後部で結んだ布の両端部は後ろ襟首の日除けとなる。【０００８】  日除けが不要な場合は、日除けとなっている前記横長の布を帽子のツバに捲くり上げ、その両端部を後部で結んで固定するため、手間もかからず、デザイン的にも見栄えが良い。
【図面の簡単な説明】
【０００９】
【図１】  本考案の日除け帽子の平面図である。
【図２】  本考案の日除け帽子の正面図である。
【図３】  本考案の日除け帽子の背面図である。
【図４】  本考案の日除け帽子装着時の正面図である。
【図５】  本考案の日除け帽子装着時の背面図である。
【図６】  本考案の日除け帽子の他の使用形態を示す正面図である。
【図７】  本考案の日除け帽子の他の使用形態を示す背面図である。
【本考案を実施するための形態】
【００１０】  顔全体が隠れる巾の横長の布は、顔前面の目視範囲となる部分に網目部を設け、両端部が結べる長さを残して、ツバ付き帽子のツバ後部を除いた縁辺部に縫付する。
この網目部は、前記横長の布の一部を網目状に形成するか、あるいは布に網目状の生地を接合することにより設ける。
【００１１】  これにより本考案の日除け帽子を装着した状態でも視界が確保でき、通風を良くして蒸れを防ぐことができる。
さらに、あらゆる角度からの直射日光を遮って顔全体の日除けとなり、前記横長の布の両端部を後部で結ぶことにより、後ろ襟首の日焼けを防ぐ。
【実施例】
【００１２】以下、図面に基づいて具体的に説明する。【００１３】  図１は本考案の日除け帽子の平面図であり、図２はその正面図、図３はその背面図である。
帽子本体１のツバ２の後部を除く縁辺部３に、顔全体が隠れる巾で、かつ前面の目視範囲となる部分に網目部５を設けた、横長の布４の長辺を縫付する。このとき、前記横長の布４の端部６は結べる長さを残す。【００１４】  図４は本考案の日除け帽子を装着した状態の正面図で、網目部５により通気性と視界が確保された状態である。【００１５】  図５は、図４の背面図で、結んだ端部６により後ろ襟首の日除けとなっている状態である。【００１６】  図６は、日除けが不要な場合に、横長の布４を帽子本体１のツバ２に捲り上げて装着した状態の正面図であり、図７はその背面図である。
横長の布４でツバ２を覆うようにして端部６をツバ２上で結ぶことで、帽子本体１と一体化して邪魔にならず、デザイン的にも見栄えが良い。
【符号の説明】
【００１７】  １．帽子本体      ２．ツバ      ３．ツバ縁辺部
４．横長の布      ５．網目部    ６．端部
【図１】
0003165390.tif 000003
【図２】
0003165390.tif 000004
【図３】
0003165390.tif 000005
【図４】
0003165390.tif 000006
【図５】
0003165390.tif 000007
【図６】
0003165390.tif 000008
【図７】
0003165390.tif 000009
(57)【要約】      （修正有）【課題】茹でたそばを上下に掛けるようにしたそば盛り器を提供する。【解決手段】支柱４の上に、横に固定した吊り棒２の頂部に分け山３を多数並べて溝６を形成する。溝６に茹でたそばを掛けて吊るすと、そばは、上下左右に広がり、早く乾き、存在が大きく見える。そばを吊るすことによって、露出面積が大きくなりバラエティー効果が出る。そばが大事なものに見えてくる。早く乾燥する分、そばつゆが水分で薄まるのを抑制する。周囲によい匂いが漂う。紅白のそばを互い違いに吊るすことによって祝い食にできる。各種カラーの色分けディスプレーで絵画のような芸術的表現ができる等々の効果がある。【選択図】図１
0003165356.tif 000002
【実用新案登録請求の範囲】
【請求項１】
ほぼ円形の台板に支柱を設け、支柱の上部に横長の吊り棒を備え、吊り棒の上に多数の分け山並べて溝を形成したことを特徴とするそばハンガー
【考案の詳細な説明】
【技術分野】
【０００１】  本考案は、茹でたそばを上下に掛けるようにしたそば盛り器に関するものである。
【背景技術】
【０００２】  そばを食べる際、通常、そばを、お椀、せいろ、皿などに盛っていた。
【考案の概要】
【考案が解決しようとする課題】
【０００３】  従来、そば盛り器の使用に際しては、そばをせいろなどに盛るだけ、つまり置くだけで、水分がなかなか抜けず、乾きにくかった。盛り方が極めて地味で色彩感も乏しく、そばの存在感が小さかった。
【課題を解決するための手段】
【０００４】  本考案は、円形（又は角形）の台板の上に支柱を立て、支柱上部へ、横方向に吊り棒（板）を固着し、その吊り棒（板）の頂部に２個以上多数の分け山を並べ立てて、間に溝を形成する。その溝に茹でたそばを掛けて吊るす。そうすると、そばは上下左右に広がって立体的に大きく豊かに見え、課題に応える。
【考案の効果】
【０００５】  上述のように、そばを吊るすことによって、露出面積が大きくなりバラエティー効果が出る。そば（食べ物）が大事なものに見えてくる。早く乾燥する分、そばつゆが（水分で）薄まるのを抑制する。周囲によい匂いが漂う。紅白のそばを互い違いに吊るすことによって祝い食にできる。各種カラーの色分けディスプレーで絵画のような芸術的表現ができる。等々の効果がある。
【図面の簡単な説明】
【０００６】
【図１】  本考案の、そばハンガーの実施例を示す正面斜視図である。
【図２】  本考案の正面図である。（支柱をもう１本加えた実施例も破線で加記。）
【図３】  右側面図である。
【図４】  正面からの使用状態図である。そば８を吊るした状態である。
【本考案を実施するための形態】
【０００７】  本考案のそばハンガーは、プラスチック又は、木で作られる。ほぼ円形（四角状であってもよい）の台板５からつき出した支柱４の頂部に横向きに吊り棒２を設け、吊り棒２の上に突起体の分け山３を２個以上１０程度設けて、溝６を形成する。分け山６と分け山６のピッチは３ｃｍ程度で吊り棒２の長さは、皿の大きさに相応する。溝６に、茹でたそばを掛けて吊るし、箸でつまんで食する。
【実施例】
【０００８】  以下、添付図面に従って一実施例を説明する。１は、プラスチック又は木で作られたそばハンガーの全構成体、２は吊り棒、３は分け山、４は支柱である。支柱は、第２図のように、複数本設ける実施例もある。５は、支柱４を立てる台板である。６は、分け山３と分け山３との間に形成された溝６である。７は、フック用の穴である。
【符号の説明】
【０００７】１・そばハンガー
２．吊り棒
３．分け山
４．支柱
５．台板
６．溝
７．穴
８．そば
【図１】
0003165356.tif 000003
【図２】
0003165356.tif 000004
【図３】
0003165356.tif 000005
【図４】
0003165356.tif 000006
【手続補正書】
【提出日】平成22年10月19日(2010.10.19)
【手続補正１】
【補正対象書類名】実用新案登録請求の範囲
【補正対象項目名】全文
【補正方法】変更
【補正の内容】
【実用新案登録請求の範囲】
【請求項１】
ほぼ円形の台板に支柱を設け、支柱の上部に横長の吊り棒を備え、吊り棒の上に多数の分け山を並べて溝を形成したことを特徴とするそばハンガー